(57)【要約】【課題】おむつ交換に慣れた立ち位置を容易に設定することができるおむつ交換台を提供することを目的とする。【解決手段】実施形態のおむつ交換台は、乳児または幼児を寝かせる本体と、前記乳児または幼児を前記本体上で固定する固定具と、を備える。前記固定具は、前記乳児または幼児を前記本体に寝かせた場合の前記乳児または幼児の胴体の延びる方向が、初期の方向から前記初期の方向に垂直な方向にわたって前記乳児または幼児を固定することができる。【選択図】図１
2018047047.tif 000002
【特許請求の範囲】
【請求項１】
乳児または幼児を寝かせる本体と、
前記乳児または幼児を前記本体上で固定する固定具と、
を備え、
前記固定具は、前記乳児または幼児を前記本体に寝かせた場合の前記乳児または幼児の胴体の延びる方向が、初期の方向から前記初期の方向に垂直な方向にわたって前記乳児または幼児を固定できることを特徴とするおむつ交換台。
【請求項２】
前記固定具は、前記胴体の延びる方向の前記初期の方向に対する角度が所定の角度に制限され、前記所定の角度は、１８０°以下であることを特徴とする請求項１記載のおむつ交換台。
【請求項３】
前記本体は、前記本体に対して回転することによって前記胴体の延びる方向の前記初期の方向に対する角度を設定する回転部を有し、
前記固定具は、前記回転部に固定されたことを特徴とする請求項１または２に記載のおむつ交換台。
【請求項４】
前記本体は、前記回転部が回転することを規制する回転規制部材を有することを特徴とする請求項３記載のおむつ交換台。
【請求項５】
前記回転規制部材は、乳児または幼児を前記本体上に乗せた場合に、前記回転部が回転することを規制することを特徴とする請求項４記載のおむつ交換台。
【請求項６】
前記本体を支持する支持部と、
前記支持部を固定して前記本体の一端を建築物の壁面に沿うように配置するベースと、
をさらに備え、
前記支持部は、前記本体と前記ベースとを回動可能に支持する回動部を含むことを特徴とする請求項１〜５のいずれか１つに記載のおむつ交換台。
【発明の詳細な説明】
【技術分野】
【０００１】
本発明の態様は、一般的に、おむつ交換台に関する。
【背景技術】
【０００２】
オフィスビルや商業施設等のパブリックトイレには、おむつ交換台が設置され、こども連れの母親らは、おむつ交換台をこどものおむつ交換に利用することができる。このようなおむつ交換台は、一般に折りたたみ式を採用しており、使用時にベッド部分（シート部分）を開放してこどもを寝かせ、使用後には、壁面にベッド部分を閉鎖するように折りたたんで収納する。そのため、設置面積が制約されたパブリックトイレでも設置が進んでいる。
【０００３】
このようなおむつ交換台は、こどもをベッド部分に寝かせた場合に、おむつ替えの最中にこどもが寝返りをうって位置がずれたり、こどもがベッドから落ちたりしないように、安全ベルトが設けられている。安全ベルトが取り付けられている位置は、固定されており、そのため、こどもの頭の位置や、交換するおむつの向きが固定される。おむつ交換台には、こどもが壁面に沿って平行に寝かせるように設定されている場合と、こどもが壁面に垂直になるように寝かせる設定とされている場合とがある。これらのおむつ交換台は、寝かせているこどもの胴体の延びる方向に長手方向となるベッド部分を有しており、設置場所のスペース等に応じて、いずれかのタイプが選定されて設置される。
【０００４】
おむつを交換する母親や父親らでは、通常、交換し慣れたこどもの向きがある。たとえば、ある母親は、いつもこどもの側方に立っておむつを替えており、他の母親は、いつもこどもの足元に立っておむつ替えをしている。このような習慣をもつ人が、異なるこどもの向きに設定されたおむつ交換台を利用する場合には、設置場所のスペース等の影響によって所望の位置に立つことができずに、使いにくさを感じることがある。
【０００５】
特許文献１および２に記載のおむつ交換台は、取り付けられている壁面に対して、角度を調整することができるマットを備えており、おむつを交換する者の立ち位置の自由度を改善することとしている。しかしながら、マットの角度調整は、５°〜３０°とされており、乳幼児の側方から足元まで、おむつを交換する者が自由に立ち位置を調整することができるとはいえない。
【先行技術文献】
【特許文献】
【０００６】
【特許文献１】特開２０１５−２３９６３号公報
【特許文献２】特開２０１５−２３９６４号公報
【発明の概要】
【発明が解決しようとする課題】
【０００７】
本発明は、かかる課題の認識にもとづいてなされたものであり、おむつ交換に慣れた立ち位置を容易に設定することができるおむつ交換台を提供することを目的とする。
【課題を解決するための手段】
【０００８】
第１の発明は、乳児または幼児を寝かせる本体と、前記乳児または幼児を前記本体上で固定する固定具と、を備える。前記固定具は、前記乳児または幼児を前記本体に寝かせた場合の前記乳児または幼児の胴体の延びる方向が、初期の方向から前記初期の方向に垂直な方向にわたって前記乳児または幼児を固定できることを特徴とするおむつ交換台である。
【０００９】
このおむつ交換台によれば、乳児または幼児を寝かせて固定する位置を初期の方向に対して自在に設定することができるので、おむつを交換する者は、おむつ交換台の設置場所のスペース等の影響によって所望の位置に立つことができない場合であっても、寝かせた乳児または幼児に対してもっとも慣れた方向から任意の位置に立って作業をすることができる。
【００１０】
第２の発明は、第１の発明において、前記固定具が、前記胴体の延びる方向の前記初期の方向に対する角度が所定の角度に制限され、前記所定の角度は、１８０°以下であることを特徴とするおむつ交換台である。
【００１１】
このおむつ交換台によれば、寝かせられた乳児または幼児が動いた場合であっても、その位置が不要にかわってしまうことが抑制される。そのため、乳児または幼児の安全が確保される。
【００１２】
第３の発明は、第１または第２の発明において、前記本体が、前記本体に対して回転することによって前記初期の方向に対する角度を設定する回転部を有し、前記固定具は、前記回転部に固定されたことを特徴とするおむつ交換台である。
【００１３】
このおむつ交換台によれば、回転部を回転させることによって、本体自体を回転させる必要がないので、回転部の機構が簡素となり、装置全体の軽量化や低コストを実現することができる。
【００１４】
第４の発明は、第３の発明において、前記本体が、前記回転部が回転することを規制する回転規制部材を有することを特徴とするおむつ交換台である。
【００１５】
このおむつ交換台によれば、おむつを交換している場合に、寝かせた乳児または幼児が動いたときであっても、回転を規制することができる。そのため、おむつを交換する者は、安定して作業を継続することができる。
【００１６】
第５の発明は、第４の発明において、前記回転規制部材が、乳児または幼児を前記本体上に乗せた場合に、前記回転部が回転することを規制することを特徴とするおむつ交換台である。
【００１７】
このおむつ交換台によれば、乳児または幼児を寝かせたことによって、回転部が回転することが規制される。そのため、おむつを交換する者が、回転部の回転を規制する操作をすることを忘れた場合や、回転規制が効かなかった場合であっても、乳児または幼児が不要に回転することが規制される。したがって、おむつを交換する作業をより安全かつ安定に継続することができる。
【００１８】
第６の発明は、第１〜第５のいずれか１つの発明において、前記本体を支持する支持部と、前記支持部を固定して前記本体の一端を建築物の壁面に沿うように配置するベースと、をさらに備える。前記支持部は、前記本体と前記ベースとを回動可能に支持する回動部を含むことを特徴とするおむつ交換台である。
【００１９】
このおむつ交換台によれば、回動部によって本体の、乳児または幼児を寝かせる面を建築物の壁面に閉鎖するように折りたたむことができる。したがって、使用しないときのスペースを広くすることができる。
【発明の効果】
【００２０】
本発明の態様によればおむつ交換に慣れた立ち位置を容易に設定することができるおむつ交換台が提供される。
【図面の簡単な説明】
【００２１】
【図１】図１（ａ）は、第１の実施形態に係るおむつ交換台を例示する斜視図である。図１（ｂ）は、第１の実施形態に係るおむつ交換台を例示する側面図である。
【図２】図２（ａ）および図２（ｂ）は、おむつ交換台の折りたたみ動作を例示する側面図である。
【図３】第１の実施形態のおむつ交換台の一部分解組立図である。
【図４】図４（ａ）は、第１の実施形態のおむつ交換台の一部を例示する平面図である。図４（ｂ）は、図４（ａ）のＡＡ線における断面図である。図４（ｃ）は、図４（ｂ）のＢ部の拡大図である。
【図５】図５（ａ）〜図５（ｃ）は、おむつ交換台の動作を説明するための平面図である。
【図６】図６（ａ）および図６（ｂ）は、第２の実施形態に係るおむつ交換台を例示する斜視図である。
【図７】図７（ａ）および図７（ｂ）は、第３の実施形態に係るおむつ交換台を例示する斜視図である。
【図８】図８（ａ）〜図８（ｄ）は、第３の実施形態のおむつ交換台の動作を説明するための平面図である。
【発明を実施するための形態】
【００２２】
以下、本発明の実施の形態について図面を参照しつつ説明する。なお、各図面中、同様の構成要素には同一の符号を付して詳細な説明は適宜省略する。
【００２３】
（第１の実施形態）
図１（ａ）および図１（ｂ）は、本実施形態に係るおむつ交換台を例示する斜視図である。  
図２（ａ）および図２（ｂ）は、おむつ交換台の折りたたみ動作を例示する側面図である。  
図３は、本実施形態のおむつ交換台の一部分解組立図である。  
図４（ａ）は、本実施形態のおむつ交換台の一部を例示する平面図である。図４（ｂ）は、図４（ａ）のＡＡ線における断面図である。図４（ｃ）は、図４（ｂ）のＢ部の拡大図である。  
図１（ａ）に示すように、本実施形態に係るおむつ交換台１は、交換台本体２０と、安全ベルト２３ａ，２３ｂと、を備える。交換台本体２０は、支持部１１を介してベース１０に接続されている。ベース１０は、たとえばパブリックトイレ等の建築物の壁面に取り付けられる。
【００２４】
以下の説明では、三次元座標を用いることがある。三次元座標は、おむつ交換台１が設置される場所の床面に平行で互いに直交するＸ軸およびＹ軸を含む。三次元座標は、Ｘ軸およびＹ軸に垂直なＺ軸を含む。ベース１０によっておむつ交換台１を取り付ける壁面は、Ｚ軸に平行な面であるものとする。つまり、おむつ交換台１は、床面に垂直な壁面に取り付けられる。Ｘ軸は、壁面に平行な方向であり、おむつ交換台１の幅方向とも呼ぶ。Ｙ軸は、壁面に垂直な方向であり、おむつ交換台１の奥行方向とも呼ぶ。Ｚ軸をおむつ交換台１の高さ方向とも呼ぶ。
【００２５】
ベース１０は、ほぼ長方形の板であり、ボルト等を挿通し、あるいは接着剤等を用いて、パブリックトイレ等の建築物の壁面に固定される。図１（ｂ）に示すように、ベース１０は、壁面Ｗにほぼ平行で、下端が床面Ｆに接触するように壁面Ｗに取り付けられる。なお、以下では、壁面Ｗは、Ｚ軸に垂直であるものとして説明するが、これに限定されるものではない。壁面は、床面に対して垂直よりも大きな角度であったり、小さな角度であったりしてもよい。
【００２６】
支持部１１は、ほぼ長方形の板状の部材である。後述するように、回転規制レバー等の機構部材を収納するために、内部に空間が設けられている。支持部１１は、ベース１０にほぼ垂直に取り付けられており、平面部分１１ａがＸＹ平面にほぼ平行になるように、Ｙ軸方向に延伸している。
【００２７】
交換台本体２０は、支持部１１のＹ軸方向に延伸している平面部分１１ａの上に取り付けられている。交換台本体２０は、乳幼児のおむつを取り替える作業を行う人の身長にもとづいて、床面Ｆからの高さが設定される。たとえば、交換台本体２０は、床面Ｆからほぼ６００ｍｍ程度から９００ｍｍ程度の高さに取り付けられている。
【００２８】
図２（ａ）および図２（ｂ）に示すように、おむつ交換台１は、支持部１１が回動部１１ｂを有している。おむつ交換台１を使用する場合には、支持部１１の平面部分１１ａに固定された交換台本体２０は、壁面Ｗの側から開放される（図２（ａ））。おむつ交換台１を使用しない場合には、交換台本体２０は、壁面Ｗの側に閉鎖されることができる（図２（ｂ））。このように、おむつ交換台１は、交換台本体２０を折りたたむことができるので、おむつ交換台１を使用しないときのスペースを広くすることができる。以下では、特に断らない限り、使用時の交換台本体２０が開放された状態の場合について説明することとする。
【００２９】
なお、上述では、おむつ交換台１は、ベース１０を建築物の壁面Ｗに取り付けて、使用時に交換台本体２０の一辺が壁面Ｗに沿うように設置される場合について説明したが、本実施形態のおむつ交換台１はこの場合に限らない。たとえば、ベースを床面Ｆに平行に載置し（固定するかしないかは問わない）、交換台本体の一辺が壁面Ｗに沿うようにしてもよい。使用時には、ベース、支持部および交換台本体は、側面視で「コ」の字状になる。
【００３０】
図１（ａ）に戻って、説明を続ける。交換台本体２０は、シート部２１と、ガード部２２と、を含む。シート部２１は、ＸＹ平面にほぼ平行になるように設けられている。シート部２１は、この例では、ほぼ方形状に形成されている。シート部２１は、この例のように、ほぼ正方形状であってもよいし、長方形状であってもよい。正方形状の場合には、１辺の長さは、シート部２１上に寝かせる乳児または幼児（以下、乳幼児ともいう。）の身長にもとづいて設定される。長方形状の場合には、長手方向の長さを乳幼児の身長にもとづいて設定される。たとえば、乳児を対象にした場合には、１辺の長さまたは長辺の長さは、８００ｍｍ程度である。
【００３１】
ガード部２２は、シート部２１の周囲を取り囲む低い高さを有する側壁である。側壁に限らず、平行部を複数の支柱で支持する形態等であってももちろんよい。ガード部２２は、この例では、シート部２１に対してほぼ垂直な方向に延びるように設けられている。ガード部２２は、シート部２１に寝かせた乳幼児が落下しないように設けられている。したがって、ガード部２２は、シート部２１の周囲すべてを取り囲んでいなくてもよい。たとえば、乳幼児を寝かせた場合に、作業のじゃまにならないように、一部のガード部をなくしたり、高さを低くしたりしてもよい。
【００３２】
シート部２１のほぼ中央には、シート回転部３１が設けられている。シート回転部３１は、後述するように、回転部３０の一部である。シート回転部３１は、シート部２１のほぼ中央に設けられている。シート回転部３１は、乳幼児を直接寝かせたり、マット２５を介して乳幼児を寝かせる位置に設けられている。回転部３０およびシート回転部３１は、シート部２１のＸＹ平面内で時計回りまたは反時計回りで回転することができる。
【００３３】
安全ベルト（固定具）２３ａ，２３ｂは、それぞれの一端で、シート回転部３１の外周付近から外方に延びるように設けられている。この例では、一方の安全ベルト２３ａが設けられた位置と、他方の安全ベルト２３ｂが設けられた位置とは、シート回転部３１の中心Ｃに対して点対称な位置に設けられている。つまり、安全ベルト２３ａ，２３ｂは、中心Ｃを基準にして１８０°の位置に互いの一端が固定されている。
【００３４】
一方の安全ベルト２３ａの他端には、バックル２４ａが設けられている。他方の安全ベルト２３ｂの他端には、タング２４ｂが設けられている。バックル２４ａにタング２４ｂを挿入することによって、安全ベルト２３ａ，２３ｂを固定することができる。なお、安全ベルト２３ａ，２３ｂのうち少なくとも一方には、ベルトの長さ調整する機構が含まれてもよい。
【００３５】
安全ベルト２３ａ，２３ｂは、乳幼児をシート回転部３１上に寝かせた場合に、寝かせた乳幼児の胴体を取り巻いて、バックル２４ａおよびタング２４ｂによって固定できればよく、安全ベルト２３ａ，２３ｂの一端の固定位置は、上述に限らない。たとえば、一方の安全ベルト２３ａの固定位置が、中心Ｃを基準に１８０°よりも小さい角度や大きい角度の位置に設けられていてもよい。
【００３６】
後述するように、安全ベルト２３ａ，２３ｂは、シート回転部３１とともに回転する回転制御部３２に少なくとも固定されている。シート回転部３１は、回転制御部３２に固定されている。そのため、安全ベルト２３ａ，２３ｂは、シート回転部３１の回転にしたがって、時計回りまたは反時計回りに回転することができる。なお、後に詳述するが、安全ベルト２３ａ，２３ｂおよびシート回転部３１は、回転ロック／解除ボタン１５によって、回転することが規制（ロック）され、また、回転することが可能になる。たとえば、回転ロック／解除ボタン１５を押した場合には、安全ベルト２３ａ，２３ｂおよびシート回転部３１は、回転することが可能になる。回転ロック／解除ボタン１５から手を離した場合には、安全ベルト２３ａ，２３ｂおよびシート回転部３１は、回転することが規制される。
【００３７】
図３に示すように、回転部３０は、シート回転部３１と、回転制御部３２と、を含む。図３では、回転部３０のうち、上部に設けられているシート回転部３１を回転制御部３２から取り外した状態を示している。回転部３０は、交換台本体２０の下部に設けられた凹部２７に設けられている。凹部２７は、ＸＹ平面視でほぼ円形となるように設けられている。凹部２７のＸＹ平面視における直径は、回転部３０の直径と同程度より少し大きく形成されている。回転部３０は、凹部２７には固定されておらず、交換台本体２０に対して自在に回転することができる。
【００３８】
図４（ａ）に示すように、回転制御部３２は、中心Ｃと同心円の開口３４が設けられている。図４（ｂ）および図４（ｃ）に示すように、開口３４には、交換台本体２０の凹部２７に設けられた軸２６が挿通される。軸２６の中心は、回転部の中心Ｃとほぼ一致する。開口３４の直径は、軸２６の直径とほぼ等しく、回転制御部３２は、軸２６の回りを時計回りまたは反時計回りに回転することができる。開口３４または軸２６にリング式のボールベアリング等を設けて、回転制御部３２の回転をより円滑にするようにしてもよい。
【００３９】
回転制御部３２は、円板の周囲に歯部３２ａおよび谷部３２ｂが形成された部材である。歯部３２ａおよび谷部３２ｂは、円板の周囲をほぼ等間隔で交互に配置されている。すべての谷部３２ｂの幅Ｗ１は、ほぼ一定である。谷部３２ｂの幅Ｗ１は、回転規制レバー（回転規制部材）４０の先端部４０ａの幅Ｗ２にほぼ等しくなるように設定されており、谷部３２ｂには、回転規制レバー４０の先端部４０ａがはめ合わされるようになっている。
【００４０】
回転規制レバー４０は、交換台本体２０の下部をＹ軸方向に沿って伸びるように設けられている。回転規制レバー４０は、Ｙ軸方向に沿って摺動する。回転規制レバー４０がＹ軸の正方向に摺動した場合には、先端部４０ａが回転制御部３２の谷部３２ｂにはめ込まれる。谷部３２ｂの幅Ｗ１は、先端部４０ａの幅Ｗ２と同程度に形成されているので、先端部４０ａが谷部３２ｂにはめ込まれた場合には、回転制御部３２の回転が規制される。
【００４１】
回転規制レバー４０がＹ軸の負方向、つまり奥行の方向に摺動された場合には、回転制御部３２の谷部３２ｂと回転規制レバー４０の先端部４０ａとのはめ合わせがはずれるので、回転制御部３２は、回転することができるようになる。
【００４２】
回転規制レバー４０は、この例では支持部１１に設けられた回転ロック／解除ボタン１５（図１（ａ））によってＹ軸の正負いずれかの方向に摺動する。たとえば、回転ロック／解除ボタン１５を押した場合に、回転規制レバー４０は、Ｙ軸の負方向に摺動する。つまり、回転制御部３２の回転規制が解除される。好ましくは、回転規制レバー４０は、Ｙ軸の正方向にばね等によって付勢されており、回転ロック／解除ボタンから手を放した場合に、先端部４０ａが谷部３２ｂにはめ込まれて、回転制御部３２の回転が規制される。
【００４３】
回転制御部３２は、スリット３３を含む。スリット３３は、中心Ｃを中心とする半円状に開口されている。スリット３３は、ほぼ均等な幅Ｗ３を有する。スリット３３の幅Ｗ３は、回転角度規制ピン４１の幅Ｗ４とほぼ同程度に形成される。スリット３３の円弧の両端は、この例では、中心Ｃを基準にして１８０°の角度の位置にある。つまり、スリット３３の円弧は、半円である。
【００４４】
凹部２７の底部には、上方に向かって回転角度規制ピン（回転規制部材）４１が設けられている。回転角度規制ピン４１は、スリット３３に対応する位置に設けられている。
【００４５】
回転制御部３２の開口３４に軸２６が挿通されたときに、スリット３３にも回転角度規制ピン４１が挿通される。回転制御部３２は、中心Ｃの回りを回転することができるが、回転角度規制ピン４１によって、回転することができる角度が規制される。この例の場合には、回転部３０は、０°〜１８０°の範囲で回転することができる。つまり、安全ベルト２３ａ，２３ｂの位置が０°〜１８０°の範囲に規制されるので、安全ベルト２３ａ，２３ｂで固定された乳幼児の胴体の延びる方向の角度は、０°〜１８０°の範囲で設定されることができる。
【００４６】
スリット３３および回転角度規制ピン４１は、初期の角度を設定する。この場合、「角度」は、たとえば乳幼児をシート回転部３１に乗せたときに、乳幼児の胴体の延びる方向がおむつ交換台１を取り付けた壁面Ｗとなす角度とすることができる。この場合、初期の角度は、０°であり、そのときの方向（初期の方向）は、壁面に対して平行である。
【００４７】
回転制御部３２と凹部２７の底部との間には、ばね部材４２が設けられている。図示しないが、ばね部材４２は、ＸＹ平面視で中心Ｃの同心円上に複数個設けられている。回転制御部３２およびシート回転部３１は、ばね部材４２によってＸＹ平面とほぼ平行になるように支持される。
【００４８】
凹部２７の底部には、回転保護爪（回転規制部材）４３が設けられている。回転保護爪は、ばね部材４２が回転制御部３２およびシート回転部３１を支持している場合のばね部材４２の長さ程度または少し短い長さに設定されている。回転保護爪４３は、回転制御部３２およびシート回転部３１が下方に押し下げられたときに、回転制御部３２の谷部３２ｂがはめ合わされる位置に設けられている。
【００４９】
シート回転部３１上に乳幼児が寝かされた場合に、シート回転部３１および回転制御部３２が乳幼児の重さで下方に押し下げられる。回転保護爪４３は、いずれかの谷部３２ｂにかみ合うことによって、回転制御部３２の回転動作が規制される。
【００５０】
このように、本実施形態のおむつ交換台１では、回転部３０の回転規制のための機構が複数含まれる。なお、これらの回転規制のための機構は、すべて含まれていてもよく、一部が含まれていてもよい。
【００５１】
本実施形態のおむつ交換台１の動作について説明する。
回転部３０は、回転制御部３２の開口３４に挿通された軸２６を中心にして、時計回りまたは反時計回りに回転する。
【００５２】
シート回転部３１および安全ベルト２３ａ，２３ｂは、回転制御部３２に固定されているので、回転制御部３２の回転とともに、時計回りまたは反時計回りに回転することができる。
【００５３】
ここで、回転制御部３２の谷部３２ｂのいずれかには、Ｙ軸の正方向に付勢された回転規制レバー４０の先端部４０ａがはめ合わされている。したがって、回転制御部３２の軸２６を中心とする回転は規制され、シート回転部３１および安全ベルト２３ａ，２３ｂの回転も規制される。
【００５４】
おむつ交換台１の使用者は、回転ロック／解除ボタン１５を手動で押すことによって、回転規制レバー４０をＹ軸の負方向に摺動させる。これによって、回転規制レバー４０の先端部４０ａは、谷部３２ｂとのはめ合わせがはずれる。そのため、回転制御部３２は、軸２６を中心に回転できるようになり、シート回転部３１および安全ベルト２３ａ，２３ｂは、回転制御部３２とともに回転する。
【００５５】
おむつ交換台１の使用者は、回転ロック／解除ボタン１５を押しながら、シート回転部３１および安全ベルト２３ａ，２３ｂの位置を所望の位置に回転させて設定する。使用者が回転ロック／解除ボタンから手を放すことによって、回転規制レバー４０は、Ｙ軸の正方向に付勢されて、先端部４０ａが谷部３２ｂに再度はめ合わされて、回転制御部３２の回転が規制される。
【００５６】
図５（ａ）〜図５（ｃ）に示すように、使用者Ｍは、壁面Ｗと設置場所のスペースに応じて、シート回転部を回転させることによって、シート回転部に固定された安全ベルト２３ａ，２３ｂを所望の位置にすることができる。
【００５７】
おむつ交換台１をはさんで、壁面Ｗとは反対側に通路があるような場合には、使用者Ｍは、通路に立つことができないので、図５（ａ）〜図５（ｃ）のように、おむつ交換台１が取り付けられている壁面Ｗの側方に立つ。
【００５８】
このような場合において、乳幼児Ｂの足元からおむつ交換をすることに慣れている使用者Ｍの場合には、図５（ａ）のように、乳幼児の胴体の延びる方向が壁面Ｗにほぼ平行になるように、回転部３０および安全ベルト２３ａ，２３ｂの位置を設定する。
【００５９】
一方、乳幼児Ｂの横からおむつ交換をすることに慣れている使用者Ｍの場合には、図５（ｂ）のように、乳幼児Ｂの胴体の延びる方向が、壁面Ｗにほぼ垂直になるように、回転部３０および安全ベルト２３ａ，２３ｂの位置を設定する。
【００６０】
また、図５（ｃ）のように、おむつ交換台１の設置場所が角部の場合に、角側のスペースが足りない場合等もあるので、そのような状況に応じて、安全ベルト２３ａ，２３ｂの位置を設定することができる。
【００６１】
図４（ａ）〜図４（ｃ）において説明したように、回転制御部３２のスリット３３に回転角度規制ピン４１が挿通されている。そのため、回転部３０は、使用者Ｍがシート回転部３１および安全ベルト２３ａ，２３ｂの位置を０°〜１８０°の範囲で設定することができる。
【００６２】
また、使用者Ｍが回転ロック／解除ボタンから手を放したときに、シート回転部３１および安全ベルト２３ａ，２３ｂの回転は規制されるが、乳幼児をシート回転部３１上に寝かせることによっても、回転保護爪４３と谷部３２ｂとのはめ合わせによっても、回転部３０の回転が規制される。
【００６３】
本実施形態のおむつ交換台の効果について説明する。
本実施形態のおむつ交換台１では、交換台本体２０が、交換台本体２０に対して回転する回転部３０および安全ベルト２３ａ，２３ｂを有する。そのため、使用者は、おむつ交換台１が設置された場所に応じて、乳幼児の壁面に対する位置および角度を設定することができる。そして、使用者みずからの立ち位置を選定することができる。
【００６４】
したがって、おむつ交換台が設置された場所の状況にかかわらず、もっとも慣れた位置に立ち、乳幼児のおむつを取り替えることができる。
【００６５】
本実施形態のおむつ交換台１では、回転制御部３２の周囲に形成された谷部３２ｂと回転規制レバー４０の先端部４０ａとのはめ合わせによって、回転部３０の回転を規制することができる。そのため、シート回転部３１の角度を設定するときに、回転規制レバー４０の先端部４０ａと回転制御部３２の谷部３２ｂとのはめ合わせを外すことによって安全に回転部３０を回転させることができる。乳幼児をシート部２１に寝かせる前に、安全ベルト２３ａ，２３ｂの位置を設定して、乳幼児の向きを設定することができる。乳幼児の向きの設定後には、回転規制レバー４０によって、回転部３０の回転が規制されるので、おむつ替えの間には、不要に乳幼児の向きがかわることがない。
【００６６】
本実施形態のおむつ交換台１では、回転制御部３２のスリット３３と、スリット３３にはめ合わされた回転角度規制ピン４１とを有する。そのため、回転部３０の回転角度は、スリット３３が開口する角度によって規制される。回転部３０の回転角度を０°〜１８０°程度とすることによって、万一回転規制レバー４０による回転部３０の回転規制がはずれた場合であっても、乳幼児が回転部３０上を動いても、不要に回転することなく、より安全におむつ替えをすることができる。
【００６７】
さらに、本実施形態のおむつ交換台１では、回転部３０を上方に付勢するばね部材４２を有している。ばね部材４２が伸びている状態の場合には、回転部３０は自在に回転し、ばね部材４２が縮んだ場合に回転部３０の回転を規制する回転保護爪４３を有している。そのため、乳幼児をシート回転部３１に乗せた場合にシート回転部３１の回転動作が規制されるので、おむつを交換する使用者は、安全かつ安定して作業を継続することができる。
【００６８】
（第２の実施形態）
図６（ａ）および図６（ｂ）は、本実施形態のおむつ交換台を例示する斜視図である。
第１の実施形態の場合では、乳幼児を寝かせるシート回転部が回転制御部に固定されており、回転制御部の回転にしたがって、所望の位置に回転させて用いる。本実施形態では、シート回転部に相当する部分は、シート部に固定されており、回転制御部に固定されたベルトが、回転制御部とともに回転する。
【００６９】
図６（ａ）および図６（ｂ）に示すように、本実施形態のおむつ交換台１０１は、交換台本体１２０を備える。交換台本体１２０は、シート部１２１にスリット１２３ａ，１２３ｂが設けられている。一方のスリット１２３ａからは、安全ベルト２３ａが露出している。他方のスリット１２３ｂからは、安全ベルト２３ｂが露出している。安全ベルト２３ａ，２３ｂは、スリット１２３ａ，１２３ｂに沿って、摺動する。スリット１２３ａ，１２３ｂは、中心Ｃを中心とする円周に沿って開口されている。
【００７０】
安全ベルト２３ａ，２３ｂは、ここでは図示しないが、すでに説明した回転制御部に一端で固定されている（図３）。回転制御部は、自在に回転することができる。したがって、安全ベルト２３ａ，２３ｂも回転制御部に応じて、時計回りまたは反時計回りに回転することができる。
【００７１】
第１の実施形態の場合と同様に、回転規制レバーによって、回転制御部の回転を規制して、安全ベルト２３ａ，２３ｂの回転を抑制するようにすることもできる。
【００７２】
また、第１の実施形態の場合と同様に、回転角度規制ピンあるいは回転保護爪によって、乳幼児を寝かせた場合に、安全ベルト２３ａ，２３ｂの回転を制限するようにしてもよい。
【００７３】
本実施形態のおむつ交換台の効果について説明する。
本実施形態のおむつ交換台１０１では、回転制御部にそれぞれの一端を固定された安全ベルト２３ａ，２３ｂがスリット１２３ａ，１２３ｂに沿って摺動し、回転するので、回転部の構造が単純化される。そのため、装置の軽量化や低コスト化等をはかることが可能になる。
【００７４】
（第３の実施形態）
図７（ａ）および図７（ｂ）は、本実施形態のおむつ交換台を例示する斜視図である。
上述した実施形態では、乳幼児を寝かせて用いる安全ベルトの近傍を回転させて、寝かせた乳幼児の向きを所望の位置にするものである。本実施形態では、交換台本体を回転させて、寝かせた乳幼児の向きを設定する。
【００７５】
図７（ａ）および図７（ｂ）に示すように、本実施形態のおむつ交換台２０１は、交換台本体２２０を備える。交換台本体２２０は、支持部２１１を介してベース１０に取り付けられている。ここで、交換台本体２２０は、支持部２１１に固定されておらず、固定されたベース２１０および支持部２１１に対してＸＹ平面内で回転することができる。
【００７６】
図８（ａ）〜図８（ｄ）に示すように、交換台本体２２０の下部には、スリット２５０が設けられている。この例では、交換台本体２２０は、長方形状であり、スリット２５０は、交換台本体２２０の長辺に平行するように設けられている。支持部２１１には、スライドピン２５１がＺ軸上方に向かって設けられており、スライドピン２５１は、スリット２５０に挿通されている。スライドピン２５１は、支持部２１１によって位置が固定されているので、交換台本体２２０は、スリット２５０に沿って自在に摺動することができる。
【００７７】
本実施形態のおむつ交換台の動作について説明する。
図８（ａ）では、交換台本体２２０が、壁面Ｗに沿ってＸ軸の正方向にスライドすることが示されている。この場合の初期状態では、スライドピン２５１は、スリット２５０の一方の端にある。
【００７８】
図８（ｂ）では、交換台本体２２０がスライドし、スライドピン２５１がスリット２５０の他方の端に位置する場合が示されている。ここで、交換台本体２２０をスライドピン２５１を中心に反時計回りに回転させる。
【００７９】
図８（ｃ）では、交換台本体２２０がＹ軸負方向に向かってスライドすることが示されている。スライドピン２５１は、スリット２５０の他方の端にある。
【００８０】
図８（ｄ）では、交換台本体２２０がＹ軸負方向にスライドされた結果、交換台本体２２０の端部が壁面Ｗにもっとも近づいた状態となっている。スライドピン２５１の位置は、スリット２５０の一方の端にある。
【００８１】
本実施形態のおむつ交換台２０１の効果について説明する。
本実施形態のおむつ交換台２０１では、交換台本体２２０を回転させるので、回転部を交換台本体内に設けることないので、交換台本体を簡素な構造で実現することができる。
【００８２】
上述では、支持部に対して交換台本体を回転させて、乳幼児の胴体の向きを設定することしたが、支持部と交換台本体とを分離して収納し、使用のたびに交換台本体を壁面に対して適切な角度に設定するよう結合するようにしてもよい。
【００８３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。たとえば、ベース、支持部、交換台本体、回転部などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８４】
１  おむつ交換台、１０  ベース、１１  支持部、２０  交換台本体、２１  シート部、２２  ガード部、２３ａ，２３ｂ  安全ベルト、２４ａ  バックル、２４ｂ  タング、２５  マット、２６  軸、３０  回転部、３１  シート回転部、３２  回転制御部、３２ａ  歯部、３２ｂ  谷部、３３  スリット、３４  開口、４０  回転規制レバー、４１  回転角度規制ピン、４２  ばね部材、４３  回転保護爪、１０１，２０１  おむつ交換台
【図１】
2018047047.tif 000003
【図２】
2018047047.tif 000004
【図３】
2018047047.tif 000005
【図４】
2018047047.tif 000006
【図５】
2018047047.tif 000007
【図６】
2018047047.tif 000008
【図７】
2018047047.tif 000009
【図８】
2018047047.tif 000010